(57)【要約】【課題】本発明の課題は、ダクト内に設けた防虫網の目詰まりを簡単に防止し、給気又は排気の効率の低下を防止することができる防虫網の清掃装置を提供することである。【解決手段】ダクト１７内に設けられた防虫網５と、ダクト１７内を通過する風により回転するプロペラ９とを備え、プロペラ９の羽根９ａ、９ｂ、９ｃには、それぞれ防虫網５に接触するブラシ３を備え、プロペラ９の回転によりブラシ３で防虫網５を清掃するようにし、各ブラシ３はプロペラ９の半径方向において、夫々異なる位置に設けるようにした。【選択図】  図１
2004226041.tif 000002
【特許請求の範囲】
【請求項１】
ダクト内に設けられた防虫網と、ダクト内を通過する風により回転するプロペラとを備え、プロペラの羽根には、それぞれ防虫網に接触するブラシを備え、プロペラの回転によりブラシで防虫網を清掃することを特徴とする防虫網の清掃装置。
【請求項２】
ダクト内に設けられた防虫網と、ダクト内を通過する風により回転するプロペラとを備え、プロペラの軸には、半径方向に延出する複数のブラシ保持部材を備え、ブラシ保持部材は防虫網に接触するブラシを有しており、プロペラの回転によりブラシ保持部材に取り付けたブラシで防虫網を清掃することを特徴とする防虫網の清掃装置。
【請求項３】
各ブラシはプロペラの半径方向において、夫々異なる位置に設けてあることを特徴とする請求項１又は２記載の防虫網の清掃装置。
【請求項４】
防虫網、プロペラ及びブラシはケース内に一体に収納されたユニットであり、ケースをダクトに接続することを特徴とする請求項１乃至３の何れかに記載の防虫網の清掃装置。
【発明の詳細な説明】
【０００１】
【発明の属する技術分野】
本発明は、防虫網の清掃装置に関するものである。
【０００２】
【従来の技術】
従来、住宅の換気は、屋外に開口した換気口からダクトを通じて新鮮な空気を導入するとともに、屋内の汚れた空気の換気はダクトを通じて屋外へ排気することで行っている。また、換気口に防虫網を設け、屋外からの虫等の侵入を防止するようにしている。
【０００３】
ところが、防虫網に虫や塵等が目詰まりして換気効率が低下するおそれがあり、防虫網にブラシを設けて付着した虫や塵等を取り除いている（例えば特許文献１）。
【０００４】
【特許文献１】
特開平７−１７４３８０号公報
【０００５】
【発明が解決しようとする課題】
しかし、上述した従来公報ではブラシを手動又は自動により操作することで、防虫網に付着した塵やごみを取り除いており、手動の場合には操作が煩雑であるという問題がある一方、自動の場合には駆動装置が別途必要になるという問題がある。
【０００６】
本発明は、ダクト内に設けた防虫網の目詰まりを簡単に防止し、給気又は排気の効率の低下を防止することができる防虫網の清掃装置を提供することを目的とする。
【０００７】
【課題を解決するための手段】
請求項１に記載の発明は、ダクト内に設けられた防虫網と、ダクト内を通過する風により回転するプロペラとを備え、プロペラの羽根には、それぞれ防虫網に接触するブラシを備え、プロペラの回転によりブラシで防虫網を清掃することを特徴とする。
【０００８】
この請求項１に記載の発明では、建物の部屋等から吸引された空気はダクト内を通り、屋外に開口した換気口から建物外に排気される。空気が防虫網を通過する際に、空気の流れによって生ずる風によりプロペラが回転する。プロペラが回転すると、プロペラの羽根に取り付けられたブラシによって防虫網に付着した虫や塵等が清掃される。また、屋外に開口した換気口から新鮮な空気を建物内に取り入れる場合も、同様にプロペラの回転により、プロペラに取り付けられたブラシによって防虫網に付着した虫や塵等が清掃される。
【０００９】
このように、風によりプロペラが回転し、プロペラの羽根に設けられたブラシにより防虫網に付着した虫や塵等を清掃できるので、防虫網の清掃に人的な操作が必要なく、別途ブラシの駆動装置も不要である。
【００１０】
従って、防虫網への虫や塵等の蓄積を簡単に防止でき、給気又は排気の効率低下を防止できる。
【００１１】
請求項２に記載の発明は、ダクト内に設けられた防虫網と、ダクト内を通過する風により回転するプロペラとを備え、プロペラの同軸には、半径方向に延出する複数のブラシ保持部材を備え、ブラシ保持部材は防虫網に接触するブラシを有しており、プロペラの回転によりブラシ保持部材に取り付けたブラシで防虫網を清掃することを特徴とする。
【００１２】
この請求項２に記載の発明では、請求項１に記載の発明と同様の効果を奏するとともに、ブラシをプロペラの軸のブラシ保持部材に設けることで、羽根に直接ブラシを取り付ける場合に比べ、製造が容易である。
【００１３】
請求項３に記載の発明は、請求項１又は２に記載の発明において、各ブラシはプロペラの半径方向において、夫々異なる位置に設けてあることを特徴とする。
【００１４】
この請求項３に記載の発明では、請求項１又は２に記載の発明と同様の作用効果を奏するとともに、各ブラシをプロペラの半径方向の夫々異なる位置に設けることで、１つあたりのブラシを小さくすることができ、プロペラの回転の際の摩擦を少なくすることができ、ダクト内を通過する風のみの力で容易に回転できる。
【００１５】
請求項４に記載の発明は、請求項１乃至３の何れかに記載の発明において、
防虫網、プロペラ及びブラシはケース内に一体に収納されたユニットであり、ケースをダクトに接続することを特徴とする。
【００１６】
この請求項４に記載の発明では、請求項１乃至３の何れかに記載の発明と同様の作用効果を奏するとともに、防虫網、プロペラ及びブラシはケース内に一体に収納されたユニットであるので、既存のダクトへの後付けが簡単にできる。
【００１７】
【発明の実施の形態】
以下に本発明の実施の形態を図面に基づいて具体的に説明する。図１は本発明に係る防虫網の清掃装置を概略的に示した断面図、図２は図１に係る清掃装置の正面図、図３は図１に係る清掃装置を備えた建物を概略的に示す模式図である。
【００１８】
本発明に係る防虫網の清掃装置（以下単に清掃装置という）１は主に、建物１００の天井裏の換気装置５０内に設けられるものであり、換気装置５０は電動モータによって駆動される送風装置１１と、部屋の天井部分あるいは天井裏に開口した給排気口１３、１５と、円筒状のダクト１７と、壁７を貫通して屋外に開口した換気口１９とから構成されている。そして、室外から新鮮な空気を給気しながら、室内の汚れた空気を排気している。尚、換気口１９には外部カバー２０が設けられており、雨水がダクト１７内に浸入するのを防止している。また、換気口１９には虫や塵等の侵入を防ぐための案内板２１が設けられている。
【００１９】
清掃装置１はダクト１７内の換気口１９付近に設けられており、清掃装置１はダクト１７内に設けられた防虫網５と、風力により回転するプロペラ９とを備えている。また、プロペラ９は、防虫網５に接触するブラシ３を備えており、プロペラ９の回転に連動するブラシ３により防虫網５の清掃を行っている。
【００２０】
プロペラ９は３枚の羽根９ａ、９ｂ、９ｃと、その中心には回転軸（軸）２３が取り付けられており、この回転軸２３を中心としてプロペラ９が回転するようになっている。また、回転軸２３は支持部材２５に支持されており、さらに支持部材２５はダクト１７に固定されている。
【００２１】
ブラシ３は３枚の羽根９ａ、９ｂ、９ｃに夫々取り付けられており、ブラシ３の取り付けは、３枚の羽根９ａ、９ｂ、９ｃにおける半径方向の夫々異なる位置に設けられている。
【００２２】
すなわち、３枚の羽根９ａ、９ｂ、９ｃに取り付けるブラシ３の中で、１番目のブラシ３ａは羽根９ａの付け根部分に取り付けられており、２番目のブラシ３ｂは羽根９ｂの半径方向の中間部分に取り付けられている。さらに３番目のブラシ３ｃは羽根９ｃの先端部分に取り付けられている。このように、ブラシ３をプロペラ９の羽根９ａ、９ｂ、９ｃにおける半径方向の夫々異なる位置に設けることで、１つあたりのブラシ３を小さくすることができ、プロペラ９の回転の際の摩擦を小さくでき、回転がし易い。また、１つあたりのブラシ３を小さくすることで、プロペラ９の湾曲部分に対してブラシの取り付けが容易にできる。
【００２３】
次に、上記した構成に基づき、本実施の形態の作用を説明する。電動モータによって送風装置１１が駆動すると、部屋の天井部分あるいは天井裏に開口した給排気口１３、１５から、建物内の汚れた空気が吸引される。吸引された空気はダクト１７内を通り、防虫網５を通過して屋外に開口した換気口１９から建物外に排気される。空気が防虫網５を通過する際に、空気の流れによって生ずる風によりプロペラ９が回転する。プロペラ９が回転すると、プロペラ９の羽根に備えたブラシ３によって防虫網５に付着した虫や塵等を清掃する。
【００２４】
このように、送風装置１１の駆動により生じる空気の流れによりプロペラ９が回転し、プロペラ９に設けられたブラシ３により防虫網５に付着した虫や塵等を清掃できるので、防虫網５の清掃に人的な操作が必要なく、別途ブラシ３の駆動装置も不要である。
【００２５】
さらに本実施の形態では、ブラシ３をプロペラ９の羽根９ａ、９ｂ、９ｃにおける半径方向の夫々異なる位置に設けている。またブラシ３ａ，３ｂ，３ｃを、羽根９ａ、９ｂ、９ｃの半径方向の付け根部分、中間部分、先端部分に分割して設けることで、１つあたりのブラシ３を小さくしてプロペラ９の湾曲部分に対してブラシ３の取り付けが容易になると共に、図２の一点鎖線で示すように、防虫網５の全体に渡って万偏なく清掃することができる。
【００２６】
尚、換気装置５０は屋外に開口した換気口１９から新鮮な空気を建物内に取り入れることもでき、換気口１９から導入された空気はダクト１７を通じて室内に取り込まれる。この場合も、防虫網５を通過する空気の流れによる風によりプロペラ９が回転し、このプロペラ９の回転により、プロペラ９に設けられたブラシ３によって防虫網５に付着した虫や塵等が除去される。
【００２７】
次に、他の実施の形態を説明するが、その説明にあたり上述した部分と同一の作用効果を奏する部分には、同一の符号を付することにより、その部分の詳細な説明を省略し、以下の説明では、主に第１実施の形態と異なる点を説明する。
【００２８】
第２実施の形態では、防虫網５、プロペラ９及びブラシ３をケース３１に収納したユニット３０とし、ケース３１をダクト１７に装着している点が第１実施の形態と異なる。図４に示すように、ケース３１は一方のダクト２７と他方のダクト２９との間に設けられており、ケース３１と一方及び他方のダクト２７、２９との接続は、図示しないフランジを介してネジ、ボルト等の接続具で両者を固定している。
【００２９】
このように、防虫網５、プロペラ９及びブラシ３を収納したケース３１を一体としたユニット３０としてダクト１７に装着するので、既存のダクト１７内への後付けが簡単にできる。また、ケース３１を取り外すことで防虫網５やブラシ３の交換及び清掃等のメンテナンスが簡単にできる。
【００３０】
また、図５に示すように、ケース３１の左右を入れ替えることにより、プロペラ９及びブラシ３の位置を防虫網５よりも給気側（換気口１９側）にすることができ、換気装置５０に対応した取り付けが可能となる。
【００３１】
第３実施の形態では、防虫網５に接触するブラシ３をプロペラ９の回転軸（軸）２３に取り付けたブラシ保持部材３３に設けられている点が第１実施の形態と異なる。図６に示すように、プロペラ９の回転軸２３は防虫網５を貫通して、ダクト１７の入り口付近まで突き出しており、回転軸２３の先端に３本のブラシ保持部材３３が半径方向に設けられている。そして、このブラシ保持部材３３にブラシ３が取り付けられている。
【００３２】
このように、ブラシ３をブラシ保持部材３３に取り付けるので、ブラシ３を直接プロペラ９に取り付ける必要がなく、取り付けが容易である。また、ブラシ保持部材３３はプロペラ９のように湾曲部分がないので、図７に示すようにブラシ保持部材３３の任意の位置にブラシ３を取り付けることができ、取り扱い易い。
【００３３】
本発明は、上述のような実施例に限定されず、その要旨を逸脱しない範囲内において種々の変形が可能である。例えば、第１実施の形態では、プロペラ９の羽根の枚数を３枚としたが、これに限定されず例えば２枚であっても良いし、４枚以上であっても良い。
【００３４】
ブラシ３は、羽根９ａ、９ｂ、９ｃの半径方向の付け根部分、中間部分、先端部分にそれぞれ分割して設けるようにしたが、これに限定せず、１つの羽根（例えば９ａ）の複数の箇所（例えば付け根部分と先端部分）に設けるようにしても良い。
【００３５】
第２の実施形態において、防虫網５、プロペラ９及びブラシ３をケース３１に一体に収納し、ケース３１をダクト１７の接続部分に取り付けるようにしたが、図１に示す換気口１９に取り付けも、ケース３１を利用しても良い。この場合には、外部カバー２０及び案内部材２１を取り外し、ダクト１７の入り口からケース３１をダクト１７内に挿入し、ケース３１とダクト１７とを接続することで簡単に後付けができる。
【００３６】
【発明の効果】
請求項１に記載の発明では、風力によりプロペラが回転し、プロペラに設けられたブラシにより防虫網に付着した虫や塵等を清掃できるので、防虫網の清掃に人的な操作が必要なく、別途ブラシの駆動装置も不要である。
【００３７】
従って、防虫網への虫や塵等の蓄積を簡単に防止でき、給気又は排気の効率低下を防止できる。
【００３８】
請求項２に記載の発明では、ブラシをプロペラの軸のブラシ保持部材に設けることで、羽根に直接ブラシを取り付ける場合に比べ、製造が容易である。
【００３９】
請求項３に記載の発明では、請求項１又は２に記載の発明と同様の効果を奏するとともに、各ブラシをプロペラの半径方向の夫々異なる位置に設けることで、１つあたりのブラシを小さくすることができ、プロペラの回転の際の摩擦を少なくすることができ、ダクト内を通過する風のみの力で容易に回転できる。
【００４０】
請求項４に記載の発明では、請求項１乃至３の何れかに記載の発明と同様の効果を奏するとともに、防虫網、プロペラ及びブラシはケース内に一体に収納されたユニットであるので、既存のダクトへの後付けが簡単にできる。
【図面の簡単な説明】
【図１】本発明に係る防虫網の清掃装置を概略的に示した断面図である。
【図２】図１に係る清掃装置の正面図である。
【図３】図１に係る清掃装置を備えた建物を概略的に示す模式図である。
【図４】第２実施の形態に係る清掃装置を示す断面図である。
【図５】第２実施の形態に係る清掃装置の変形例を示す断面図である。
【図６】第３実施の形態に係る清掃装置を示す断面図である。
【図７】第３実施の形態に係る清掃装置を示す正面図である。
【符号の説明】
１                  防虫網の清掃装置
３                  ブラシ
５                  防虫網
９                  プロペラ
９ａ，９ｂ，９ｃ    羽根
１７                ダクト
３０                ユニット
３１                ケース
３３                ブラシ保持部材
【図１】
2004226041.tif 000003
【図２】
2004226041.tif 000004
【図３】
2004226041.tif 000005
【図４】
2004226041.tif 000006
【図５】
2004226041.tif 000007
【図６】
2004226041.tif 000008
【図７】
2004226041.tif 000009